(57)【要約】
【課題】　光線分布の均一さが最も優れた光線案内棒を有するリニア光源モジュールを提供する。
【解決手段】　複数の凹部同士が凹んで形成される光線案内棒と、前記光線案内棒の一端に設けられる少なくとも一つの発光部材と、前記光線案内棒を包む反射部材とを備え、前記凹部同士が前記光線案内棒の径方向水平線より下向いて予定角度を折り曲げてから前記光線案内棒に交わる側表面部に設けられ、それらの凹部同士が前記光線案内棒の軸方向に沿ってリニア状にアレンジされ、それらの凹部が等辺部によって第二予定角度を挟み、かつそれらの凹部が所定の深さを凹んで形成しており、それらによって光線案内棒の反射効率を制御し、また、前記反射部材は前記光線案内棒の径方向水平線より上向いて第一予定角度の補角を折り曲げてから前記光線案内棒の側表面部に交わる部分に長尺状の切り欠きが形成され、且つ前記凹部と前記光線案内棒とは射出成形の方式によって一体成形される。
【選択図】　　　図１
0003100331.tif 000002
【実用新案登録請求の範囲】
【請求項１】
　径方向水平線より下向いて第一予定角度を折り曲げてから交わる側表面部に複数の凹部が凹んで形成され、それらの凹部が軸方向に沿ってリニア状にアレンジされ、それらの凹部が等辺部を形成して第二予定角度を挟み、且つそれらの凹部が所定の深さを凹んで形成され、それらによって反射効率を制御するように設定される、光線案内棒と、
　前記光線案内棒の少なくとも一つの端部に設けられ、光線を発射することに用いられる少なくとも一つの発光部材と、
　前記光線案内棒を包み、且つ前記光線案内棒の径方向水平線において第一予定角度の補角を折り曲げてから前記光線案内棒の側表面部に交わる部分に長尺状の切り欠きが形成してある反射部材と、を少なくとも備え、
　前記凹部が光線案内棒と射出成形の方式によって一体成形され、且つそれらの凹部が前記発光部材に対応して前方が疎らで後方が密集的であるように前記光線案内棒の底部に分布するように設定されることを特徴とするリニア光源モジュール。
【請求項２】
　前記発光部材が前記光線案内棒の第一端部に設けられ、その凹部の分布密度が前記第一端部より後記の第二端部へ向かって増加し、その第二端部が前記光線案内棒に設けられると共に、前記第一端部と対向するように設定されることを特徴とする請求項１に記載のリニア光源モジュール。
【請求項３】
　前記発光部材がペアになって前記光線案内棒の両端部にそれぞれ設けられ、それらの凹部の分布密集度が両端部より中央へ向かって増加するように設定されることを特徴とする請求項１に記載のリニア光源モジュール。
【請求項４】
　前記光線案内棒は透明材質からなるものであり、その光線透過率が９０％以上であるように設定されることを特徴とする請求項１に記載のリニア光源モジュール。
【請求項５】
　前記光線案内棒がポリカーボネートまたはポリアクリレートからなることを特徴とする請求項４に記載のリニア光源モジュール。
【請求項６】
　前記反射部材が光線反射材を添加する白いポリカーボネートによって製造されるものであることを特徴とする請求項１に記載のリニア光源モジュール。
【請求項７】
　前記光線案内棒の折り曲げる第一予定角度がほぼ４５度であることを特徴とする請求項１に記載のリニア光源モジュール。
【請求項８】
　前記凹部の挟む前記第二予定角度がほぼ９０度であることを特徴とする請求項１に記載のリニア光線モジュール。
【請求項９】
　前記光線案内棒の厚さと前記凹部の予定深さとの比例はほぼ３０：１ないし２０：１の間にあることを特徴とする請求項１に記載のリニア光線モジュール。
【考案の詳細な説明】
【技術分野】
【０００１】
　本考案は、リニア光源モジュールに係わり、特に高度の均一さを有する光線案内棒からなるリニア光源モジュールに関するものである。
【背景技術】
【０００２】
　従来の光源モジュールにおける光線案内棒は、それぞれ異なる疎密さとそれぞれ異なる大きさのメッシュ・ドットの設計原理を利用して光線を前記光線案内棒に均一的に分布させるものであり、当該光線案内棒の前記メッシュ・ドットの設計には、円形やＶ字形や六角形や台形などの形態を含み、その主要な目的は前記光線案内棒内の全反射を破壊すると共に、光線を前記光線案内棒より均一的に射出させるためである。そのため、前記メッシュ・ドットは前記光線の拡散作用と前記光線案内棒の均一さとが密接的な関連性を有する。
【０００３】
　しかしながら、目前では、業界で知られる光線案内棒のメッシュ・ドット構造はメッシュ・プリント・テクニックによって生産され、それは射出成形後にプリントや焼きなどの製造プロセスを実行するものであり、その生産ステップがかなり煩雑的であり、且つ容易にプリントの誤差によりメッシュ・ドットのプリント・サイズの制御を困難化にすることがあり、それによって前記光線案内棒の輝度と均一さに悪影響を及ぼすようになってしまう。
【０００４】
　そのため、本考案の考案者は前記のそれぞれの課題に鑑みて、研究開発を進めると共に、学術の運用を合せた結果、設計が合理的で、効果的に前記諸課題を解消できる本考案を提出するに至った。
【考案の開示】
【考案が解決しようとする課題】
【０００５】
　そのため、本考案は、光線の反射効率を向上できるリニア光源モジュールを提供することをその主要な解決しようとする課題とする。
【０００６】
　また、本考案は、射出成形方式によって一体成形をし、製造プロセスを簡素化すると共に、コストダウンの目的を図り、製造プロセスの効率を向上できる、リニア光線モジュールを提供することをその第二の解決しようとする課題とする。
【課題を解決するための手段】
【０００７】
　前記の目的を図るために、本考案は、複数の凹部同士が凹んで形成される光線案内棒と、前記光線案内棒の一端に設けられる少なくとも一つの発光部材と、前記光線案内棒を包む反射部材とを備え、前記凹部同士が前記光線案内棒の径方向水平線より下向いて予定角度を折り曲げてから前記光線案内棒に交わる側表面部に設けられ、それらの凹部同士が前記光線案内棒の軸方向に沿ってリニア状にアレンジされ、それらの凹部が等辺部によって第二予定角度を挟み、かつそれらの凹部が所定の深さを凹んで形成しており、それらによって光線案内棒の反射効率を制御し、また、前記反射部材は前記光線案内棒の径方向水平線より上向いて第一予定角度の補角を折り曲げてから前記光線案内棒の側表面部に交わる部分に長尺状の切り欠きが形成され、且つ前記凹部と前記光線案内棒とは射出成形の方式によって一体成形される、リニア光源モジュールを提供する。
【考案の効果】
【０００８】
　本考案の前記の構造による場合、反射効率を向上することができると共に、製造ステップを簡素化でき、且つコストダウンの目的を図ることもでき、製造プロセスの効率を向上することができる。
【考案を実施するための最良の形態】
【０００９】
　本考案の特徴と技術内容をさらにはっきりと解明するために、以下に添付図面を参照しながら本考案の最良の実施の形態を説明し、しかしながらそれらの説明による構造は単に本考案の実施例に過ぎず、本考案を狭義的に定義するものではない。
【００１０】
　本考案は、リニア光源モジュールを提供し、それがスキャナなどの光線入力装置またはプリンターなどの光線出力装置などの設備に応用されるものであり、そのリニア光源モジュールには、光線案内棒とその光線案内棒に設けられる複数の凹部同士を有し、それらの凹部同士の４５度折り曲げることと、９０度挟むことによって光線の反射効率を向上する。
【００１１】
　図１と図２は、それぞれ本考案のリニア光源モジュール１の分解及び組立説明図である。リニア光源モジュール１には、光線案内棒１０と、その光線案内棒１０を包む反射部材１１と、光線案内棒１０の少なくとも一つの端部に設けられる少なくとも一つの発光部材１２とを有し、光線案内棒１０の径方向水平線より下向いて第一予定角度αを折り曲げてからその光線案内棒１０に交わる側表面部に複数の凹部同士１０１が凹んで形成され、それらによって光線の光線案内棒１０内の生成する全反射を破壊し、それらの凹部１０１が光線案内棒１０の軸方向に沿ってリニア状にアレンジされ、それらの凹部同士１０１が等辺部によって第二予定角度θをはさみ、且つそれらの凹部同士１０１が所定の深さｄを凹んで形成しており、それらによって光線案内棒１０の反射効率を制御し、第一の予定角度αが４５度になる場合に、その反射効果が最も優れるようになる。また、光線案内棒１０は透明な材質からなるものであり、その光線透過率が９０％超えており、その光線案内棒１０としてポリカーボネートまたはポリアクリレートの材料から製造されるものを採用する。
【００１２】
　図３に示すように、リニア光源モジュール１は反射部材１２が光線案内棒１０の径方向水平線より上向いて前記第一の予定角度αの補角βを折り曲げてから光線案内棒１０に交わる側表面部に長尺状の切り欠き１１１を形成し、それによって発光部材１２の発光する光線をリニア状に発射させ、そのリニア光源モジュール１に適当な光源を生成できるようにすることを期し、それをスキャナなどの光線入力装置またはプリンターなどの光線出力装置などの設備に利用できるようにする。
【００１３】
　図４と図４Ａに示すように、凹部同士１０１の挟む第二の予定角度θがほぼ９０度になる場合に、その反射効果が最も優れるようになり、また、それらの凹部同士１０１が光線案内棒１０と射出の方式によって一体成形されるものであり、そのため、従来の光源モジュールの光線案内棒の印刷製造プロセスのような煩雑的な生産プロセスをなくすことができ、且つそのリニア光源モジュール１の生産効率を向上できる。また、凹部同士１０１が発光部材１２に対応して前方が疎らで後方が密集的であるように光線案内棒１０の底部に分布され、それらによって光線案内棒の輝度の均一さを向上する。つまり、発光部材１２に近接すれば近接するほどそれらの凹部同士１０１の分布が疎らになり、また、発光部材１２に対し遠ければ遠いほどそれらの凹部同士１０１の分布が密集的になり、そのため、発光部材１２が光線案内棒１０の第一端部に設けられ、且つ凹部同士１０１の分布密度が第一端部より第二端部へ向かって増加するようになり、その中、前記第二端部が前記光線案内棒に形成され、且つ前記第一端部と対向するようになる。
【００１４】
　図５に示すのは、本考案のリニア光源モジュール１の第二の実施の形態であり、その発光部材１２がペアになってそれぞれ光線案内棒１０の両端部に設けられ、その凹部同士１０１の分布密度がそれらの両端部より中央へ増加するようになる。
【００１５】
　図１ないし図４に示すように、光線案内棒１０の掲げたサイズは長さＬと厚さＤと凹部同士１０１の掲げた予定の深さｄとを含み、光線案内棒１０の厚さＤと凹部１０１の予定の深さｄとの比例はほぼ３０：１ないし２０：１であり、そのため、光線案内棒１０の厚さＤと凹部１０１の所定の深さｄとの比例は、光線案内棒１０の厚さの上下リミットによってそれらの凹部同士１０１のその予定の深さｄの上下リミットに対応する。
【産業上の利用可能性】
【００１６】
　本考案は、前記の説明の諸構成による場合、スキャナなどの光線入力装置やプリンターなどの光線出力装置などの設備において最も優れた効果を有するリニア光線モジュールを提供できる。
【００１７】
　前記に説明した通り、本考案は確かに予期の目的と効果を達成でき、しかしながら前記に掲げたそれぞれの技術手段が単に本考案のある優れた実施例に過ぎず、いずれの本考案の要旨と特徴に基づいて実施される修飾や変化などはすべて本考案の主張範囲内に入るべきことは言うまでもない。
【図面の簡単な説明】
【００１８】
【図１】本考案のリニア光源モジュールを示す分解斜視図である。
【図２】本考案のリニア光源モジュールを示す組立斜視図である。
【図３】本考案のリニア光源モジュールを示す側面図である。
【図４】本考案のリニア光源モジュールの第一の実施の形態を示す説明図である。
【図４Ａ】本考案のリニア光源モジュールの第一の実施の形態を示す一部拡大図である。
【図５】本考案のリニア光源モジュールの第二の実施の形態を示す説明図である。
【符号の説明】
【００１９】
１　　　リニア光源モジュール
１０　　光線案内棒
１１　　反射部材
１２　　発光部材
１０１　凹部
１１１　切り欠き
α　　　第一予定角度
β　　　補角
θ　　　第二予定角度
ｄ　　　予定深さ
Ｄ　　　厚さ
Ｌ　　　長さ
【図１】
0003100331.tif 000003
【図２】
0003100331.tif 000004
【図３】
0003100331.tif 000005
【図４】
0003100331.tif 000006
【図４Ａ】
0003100331.tif 000007
【図５】
0003100331.tif 000008